【事件の表示】
　平成　３年特許願第２０６４１９号「パチンコ玉送出装置」拒絶査定に対する審判事件［平成　５年　２月　２日出願公開、特開平　５−　２３４２７］について、次のとおり審決する。
【結　論】
　本件審判の請求は、成り立たない。
【理　由】
１．手続の経緯・本願発明
　本願は、平成３年７月２２日の出願であって、その請求項１に係る発明は、平成１２年１月２１日付手続補正書により補正された明細書及び図面の記載からみて、その特許請求の範囲の請求項１に記載された次のとおりのものであると認められる。
「【請求項１】　パチンコ玉を１個単位で送り出す玉送出部材と、該玉送出部材を駆動する電気的駆動源を外部からの指示信号に基づいて所定個数のパチンコ玉を送り出すように駆動制御する駆動制御手段と、を備えたパチンコ玉送出装置において、
　該パチンコ玉送出装置の近傍に設けられ且つ該パチンコ玉送出装置の異常及び／又は状態を表示する表示手段と、該表示手段を前記異常及び／又は状態に応じた表示データによって表示駆動する表示駆動制御手段と、を設けたことを特徴とするパチンコ玉送出装置。」
　
２．引用刊行物に記載の発明
　原査定の拒絶理由に引用された特開平２−９８３８９号公報（以下、「引用例」という。）には、以下の事項が記載されている。
ａ．「パチンコ機の異常を検知する異常検知スイッチを複数箇所に設けてなるパチンコ機において、前記異常検知スイッチの作動によりその異常検知スイッチに対応する異常箇所をパチンコ機の前面側に設けた表示器に可視表示するようにしたことを特徴とするパチンコ機。」（特許請求の範囲）
ｂ．「該機構板１３は、景品球を貯留する球タンク１４、一定数の景品球を放出する景品球放出装置１５、・・・セーフ球検知スイッチ２０により検出されたセーフ球信号は、インターフェース２１を介してコンピュータ２２のＣＰＵ２３に送られて記憶される。
　前記景品球放出装置１５は、第４，５図に示すように６個と７個の景品球を収容すべく二本の縦筒を並設してなるケース体２４を枢軸２５により揺動自在に軸支すると共に、そのケース体２４の軸支部と反対側に突設したア一ム２６にソレノイド２７のプランジャ２８を連結し、ケース体２４の開口上面を前記導出樋１６の流出口に対向させると共に、ケース体２４の流出下面に球止片２９を臨ませてなる。従って、導出樋１６の景品球はケース体２４に入って球止片２９により止められているが、ソレノイド２７の駆動によりブランジャ２８が上昇すると第５図鎖線のようにケース体２４が傾動し、ケース体２４の流出下面が球止片２９から外れて内部の景品球１３個が景品球排出樋１７に放出される。・・・ケース体２４を傾動させるソレノイド２７はコンピュータ２２のＣＰＵ２３により制御されており、前記セーフ球数の記憶データに基づいてソレノイド２７を駆動させ、後述する景品球放出検知スイッチ１１ｅの検知信号により当該セーフ球数の記憶データから順次減算するのである。」（２頁左下欄４行〜右下欄２０行）
ｃ．「前紀導出樋１６には球タンク１４直下に位置する部分に球圧によって傾動する球検知板３０を設け、該球検知板３０の−部に接触してＯＮ・ＯＦＦ作動する球切検知スイッチ１１ｂが取付けられる。また、導出樋１６の景品球放出装置１５近くに球切検知スイッチ１１ｃ，１１ｃを取付け、その球切技知スイッチ１１ｃ，１１ｃのアクチュエータ片３１，３１が導出樋１６内に臨んでいる。
　・・・
　しかして、遊技板５の上部角部には、液晶タイプの表示器３９が設けられている。該表示器３９はコンピュータ２２のＣＰＵ２３に連結されており該ＣＰＵ２３により制御される。」（３頁左上欄１行〜右上欄１８行）
ｄ．「次に、異常作動の場合について説明すると、ステップ（１）又はステップ（４）で球タンク１４や導出樋１６に景品球が無いと判断されるとステップ（２）又は（５）で例えば「球タンクに球切発生」のように景品球が無い旨の表示が表示器３９で可視表示される。・・・
　また、さらにステップ（７）で景品球排出樋１７に景品球が満杯であると判断されるか、又はステップ（１８），（２３）で球供給装置９に遊技球が無いと判断されたり、或いはステップ（２９）で景品球の放出動作が行なわれたにも拘らすステップ（３０）で景品球の放出が確認されなかった場合（例えは、ソレノイド２７の故障やケース体２４への異物の混入による球詰り等が考えられる。）等には、前記と同様　にステップ（８），（１９），（２４），（３１）で夫々表示器３９により具体的に異常箇所が可視表示され、」（３頁右下欄１５行〜４頁左上欄２０行）
　これらの記載及び第１乃至９図によれば、引用例には、以下の発明が記載されているものと認められる。
「一定数の景品球を放出する景品球放出装置１５と、該景品球放出装置１５を駆動するソレノイド２７をセーフ球検知スイッチ２０により検出されたセーフ球信号に基づいて一定数の景品球を放出するように駆動制御するコンピュータ２２のＣＰＵ２３と、を備えた景品球放出装置１５において、
　該景品球放出装置１５の異常箇所を表示する表示器３９と、該表示器３９を前記異常箇所に応じた表示によって表示駆動するコンピュータ２２のＣＰＵ２３と、を設けたことを特徴とする景品球放出装置１５。」（以下、「引用発明」という。）
　
３．本願発明と引用発明との対比検討
　本願請求項１に記載された発明（以下、「本願発明」という。）と引用発明とを対比すると、
　引用発明における「景品球を放出する景品球放出装置１５」、「ソレノイド２７」、「セーフ球検知スイッチ２０により検出されたセーフ球信号」、「コンピュータ２２のＣＰＵ２３」、「景品球放出装置１５」、「異常箇所」、「表示器３９」、「表示によって表示するコンピュータ２２のＣＰＵ２３」は、
　本願発明における「パチンコ玉を送り出す玉送出部材」、「電気的駆動源」、「外部からの指示信号」、「駆動制御手段」、「パチンコ玉送出装置」、「異常及び／又は状態」、「表示手段」、「表示データによって表示駆動する表示駆動制御手段」にそれぞれ相当する。
　異常箇所の表示は、「異常及び／又は状態」の表示の一種であると認められるから、
　両者は「パチンコ玉を送り出す玉送出部材と、該玉送出部材を駆動する電気的駆動源を外部からの指示信号に基づいてパチンコ玉を送り出すように駆動制御する駆動制御手段と、を備えたパチンコ玉送出装置において、
　該パチンコ玉送出装置の異常及び／又は状態を表示する表示手段と、該表示手段を前記異常及び／又は状態に応じた表示データによって表示駆動する表示駆動制御手段と、を設けたことを特徴とするパチンコ玉送出装置。」である点で一致し、
次の点で相違する。
（Ａ）本願発明は、「パチンコ玉を１個単位で送り出す玉送出部材」であるのに対して、
　引用発明は、パチンコ玉を一定数単位で送り出す玉送出部材である点。
　
（Ｂ）本願発明は、「玉送出部材を駆動する電気的駆動源を外部からの指示信号に基づいて所定個数のパチンコ玉を送り出すように駆動制御する駆動制御手段」であるのに対して、
　引用発明は、玉送出部材を駆動する電気的駆動源を外部からの指示信号に基づいて一定数のパチンコ玉を送り出すように駆動制御する駆動制御手段である点。
　
（Ｃ）本願発明は、表示手段をパチンコ玉送り出し装置の近傍に設けたのに対して、
　引用発明は、表示手段をパチンコ玉送り出し装置の近傍に設けていない点。
　
　上記相違点（Ａ）乃至（Ｃ）について検討する。
　
相違点（Ａ）及び（Ｂ）について
　「パチンコ玉を１個単位で送り出す玉送出部材」、及び、「玉送出部材を駆動する電気的駆動源を外部からの指示信号に基づいて所定個数のパチンコ玉を送り出すように駆動制御する駆動制御手段」は周知である（例えば、特開平３−１１１０７４号公報、特開平２−７１７８１号公報がある。）から、「パチンコ玉を１個単位で送り出す玉送出部材」とすること、及び、「玉送出部材を駆動する電気的駆動源を外部からの指示信号に基づいて所定個数のパチンコ玉を送り出すように駆動制御する駆動制御手段」とすることは、単なる設計的事項程度のことにすぎない。
　
相違点（Ｃ）について
　異常及び／又は状態を表示する表示装置を監視対象の近傍に設けることは周知である（パチンコ機において、異常及び／又は状態を表示する表示装置を監視対象の近傍に設けたものの一例として、上記特開平２−７１７８１号公報［５頁左上欄１２〜１４行、１０頁右上欄４行〜１１頁左上欄１９行参照。］がある。）から、異常及び／又は状態を表示する表示装置をパチンコ玉送出装置の近傍に設けることは、当業者が容易に想到できるものと認められる。
　そして、本願発明の奏する効果は上記引用発明に記載された発明及び上記周知技術から当業者が容易に予測し得るものであって、格別顕著なものとも認められない。
　したがって、本願発明は、上記引用発明に記載された発明及び上記周知技術に基づいて当業者が容易に発明をすることができたものである。
　
４．むすび
　以上のとおり、本願請求項１に係る発明は、引用例に記載の発明（引用発明）及び上記周知技術に基づいて当業者が容易に発明をすることができたものであるから、特許法第２９条第２項の規定により特許を受けることができない。
　よって、結論のとおり審決する。